(57)【要約】【課題】表示画像の表示形態に応じて、特定の表示画像が選択された旨を表示する選択画像の表示形態を異ならせる。【解決手段】表示されている文書の中からいずれかの文書が選択されると、表示制御部は、選択されたサムネイルを囲むように選択枠を表示させる。このとき、ユーザが文書を表示させる際に文書の厚みを表す厚み画像を文書の縮小画像に付加しないでサムネイルを表示させる厚み非表示モードを選択していた場合、表示制御部は、通常サイズの選択枠でサムネイルを囲むように表示させる。一方、厚み画像を縮小画像に付加して形成したサムネイルを表示させる厚み表示モードを選択していた場合、表示制御部は、厚み画像における厚み幅を計算し、厚み画像を含むサムネイルの大きさを求め、そのサムネイルを囲む大きさの選択枠３４ａ〜３４ｃを形成して表示させる。【選択図】図６Ｂ
2019079185.tif 000002
【特許請求の範囲】
【請求項１】
文書の縮小画像と前記縮小画像の周囲に表示された付随画像において、
前記付随画像に応じて、前記縮小画像が選択されたことを示す選択画像を異なる形態で表示させるよう制御する表示制御手段を有することを特徴とする情報処理装置。
【請求項２】
前記選択画像は、前記縮小画像と前記付随画像を囲む選択枠であり、
前記表示制御手段は、前記選択枠の大きさを前記付随画像の大きさに応じて変化させて表示するよう制御することを特徴とする請求項１に記載の情報処理装置。
【請求項３】
前記表示制御手段は、前記付随画像の大きさに比例させて前記選択枠の大きさを変化させて表示するよう制御することを特徴とする請求項２に記載の情報処理装置。
【請求項４】
前記縮小画像の表示形態として、第１の表示形態又は第２の表示形態を選択させる選択手段をさらに備え、
前記表示制御手段は、第１の表示形態が選択された場合と第２の表示形態が選択された場合とで、前記選択画像を異なる形態にて表示させるよう制御することを特徴とする請求項１に記載の情報処理装置。
【請求項５】
前記第１の表示形態は、前記縮小画像の周囲に前記付随画像を付加して表示する形態であり、
前記第２の表示形態は、前記縮小画像の周囲に前記付随画像を付加しないで表示する形態であることを特徴とする請求項４に記載の情報処理装置。
【請求項６】
前記付随画像は、文書の厚みを表す画像であることを特徴とする請求項１に記載の情報処理装置。
【請求項７】
前記表示制御手段は、前記付随画像が前記縮小画像の周囲から所定の範囲を超えた位置まで延出して表示される場合、少なくとも前記縮小画像を囲むように前記選択枠を表示させることを特徴とする請求項２に記載の情報処理装置。
【請求項８】
コンピュータを、
文書の縮小画像と前記縮小画像の周囲に表示された付随画像において、
前記付随画像に応じて、前記縮小画像が選択されたことを示す選択画像を異なる形態で表示させるよう制御する表示制御手段として機能させるためのプログラム。
【発明の詳細な説明】
【技術分野】
【０００１】
本発明は、情報処理装置及びプログラムに関する。
【背景技術】
【０００２】
文書ファイルの内容がわかるように文書の縮小画像、すなわちサムネイルを表示可能な文書管理ソフトウェアが種々知られている。そして、表示されている文書の中から、ユーザによりいずれかの文書のサムネイルがクリックされると、その文書のサムネイルを囲む選択枠を表示することで、クリックされた文書が正しく選択されたことをユーザに示すことができる。
【０００３】
ところで、サムネイルを表示する際、文書を構成するページ数の相対的なボリュームの大小がわかるように厚みを表す画像をサムネイルに付加して表示させる機能を有する文書管理ソフトウェアがある。
【先行技術文献】
【特許文献】
【０００４】
【特許文献１】特開２００４−８６４２６号公報
【発明の概要】
【発明が解決しようとする課題】
【０００５】
表示画像において、縮小画像と付随画像とが表示されている際、付随画像が表示されていない場合と同様に、ある特定の表示画像が選択された旨を示す選択画像を表示すると、付随画像と選択画像が重なって表示されてしまう場合がある。
【０００６】
本発明は、表示画像の表示形態に応じて、特定の表示画像が選択された旨を表示する選択画像の表示形態を異ならせることを目的とする。
【課題を解決するための手段】
【０００７】
本発明に係る情報処理装置は、文書の縮小画像と前記縮小画像の周囲に表示された付随画像において、前記付随画像に応じて、前記縮小画像が選択されたことを示す選択画像を異なる形態で表示させるよう制御する表示制御手段を有することを特徴とする。
【０００８】
また、前記選択画像は、前記縮小画像と前記付随画像を囲む選択枠であり、前記表示制御手段は、前記選択枠の大きさを前記付随画像の大きさに応じて変化させて表示するよう制御することを特徴とする。
【０００９】
また、前記表示制御手段は、前記付随画像の大きさに比例させて前記選択枠の大きさを変化させて表示するよう制御することを特徴とする。
【００１０】
また、前記縮小画像の表示形態として、第１の表示形態又は第２の表示形態を選択させる選択手段をさらに備え、前記表示制御手段は、第１の表示形態が選択された場合と第２の表示形態が選択された場合とで、前記選択画像を異なる形態にて表示させるよう制御することを特徴とする。
【００１１】
また、前記第１の表示形態は、前記縮小画像の周囲に前記付随画像を付加して表示する形態であり、前記第２の表示形態は、前記縮小画像の周囲に前記付随画像を付加しないで表示する形態であることを特徴とする。
【００１２】
また、前記付随画像は、文書の厚みを表す画像であることを特徴とする。
【００１３】
また、前記表示制御手段は、前記付随画像が前記縮小画像の周囲から所定の範囲を超えた位置まで延出して表示される場合、少なくとも前記縮小画像を囲むように前記選択枠を表示させることを特徴とする。
【００１４】
本発明に係るプログラムは、コンピュータを、文書の縮小画像と前記縮小画像の周囲に表示された付随画像において、前記付随画像に応じて、前記縮小画像が選択されたことを示す選択画像を異なる形態で表示させるよう制御する表示制御手段として機能させる。
【発明の効果】
【００１５】
請求項１に記載の発明によれば、表示画像の表示形態に応じて、特定の表示画像が選択された旨を表示する選択画像の表示形態を異ならせることができる。
【００１６】
請求項２に記載の発明によれば、選択枠の大きさを付随画像の大きさに応じて変化させることができる。
【００１７】
請求項３に記載の発明によれば、付随画像の大きさに比例させて選択枠の大きさを変化させることができる。
【００１８】
請求項４に記載の発明によれば、第１の表示形態が選択された場合と第２の表示形態が選択された場合とで、選択画像を異なる形態にて表示させることができる。
【００１９】
請求項５に記載の発明によれば、文書の縮小画像の周囲に付随画像を付加する表示画像と、付加しない表示画像とで、選択画像の表示形態を異ならせることができる。
【００２０】
請求項６に記載の発明によれば、文書の厚みを表す画像が付加されているかいないかで、選択画像の表示形態を異ならせることができる。
【００２１】
請求項７に記載の発明によれば、付随画像が縮小画像の周囲から所定の範囲を超えた位置まで延出して表示される場合には、少なくとも縮小画像を囲むように選択枠を表示させることができる。
【００２２】
請求項８に記載の発明によれば、表示画像の表示形態に応じて、特定の表示画像が選択された旨を表示する選択画像の表示形態を異ならせることができる。
【図面の簡単な説明】
【００２３】
【図１】本発明に係る情報処理装置の一実施の形態を示したブロック構成図である。
【図２】本実施の形態における情報処理装置を形成するコンピュータのハードウェア構成図である。
【図３】本実施の形態において厚み非表示モードで文書を表示したときの表示例を示す図である。
【図４】本実施の形態において厚み表示モードで文書を表示したときの表示例を示す図である。
【図５】本実施の形態における選択枠の表示制御処理を示すフローチャートである。
【図６Ａ】本実施の形態において厚み表示モードで文書を表示したときに通常サイズの選択枠を表示させた場合の表示例を示す図である。
【図６Ｂ】本実施の形態において厚み表示モードで文書を表示したときに本実施の形態の特徴的な選択枠表示制御を適用して形成した選択枠を表示させた場合の表示例を示す図である。
【図７Ａ】本実施の形態において縮小画像に付箋を付加したサムネイルに対して通常サイズの選択枠を表示させた場合の表示例を示す図である。
【図７Ｂ】本実施の形態において縮小画像に付箋を付加したサムネイルに対して本実施の形態の特徴的な選択枠表示制御を適用して形成した選択枠をそのまま表示させた場合の表示例を示す図である。
【発明を実施するための形態】
【００２４】
以下、図面に基づいて、本発明の好適な実施の形態について説明する。
【００２５】
図１は、本発明に係る情報処理装置の一実施の形態を示したブロック構成図である。また、図２は、本実施の形態における情報処理装置１０を形成するコンピュータのハードウェア構成図である。
【００２６】
本実施の形態における情報処理装置１０は、パーソナルコンピュータ（ＰＣ）等汎用的なハードウェア構成のコンピュータで実現可能である。すなわち、情報処理装置１０は、図２に示したようにＣＰＵ２１、ＲＯＭ２２、ＲＡＭ２３、ハードディスクドライブ（ＨＤＤ）２４、入力手段として設けられたマウス２５とキーボード２６、及び表示手段として設けられたディスプレイ２７をそれぞれ接続する入出力コントローラ２８、通信手段として設けられたネットワークインタフェース（ＩＦ）２９を内部バス３０に接続して構成される。なお、タブレット端末など液晶パネルをユーザインタフェースとする情報処理装置の場合、液晶パネルが入力手段であり、表示手段でもある。
【００２７】
本実施の形態における情報処理装置１０は、図１に示すようにユーザインタフェース（ＵＩ）部１１、表示制御部１２及び文書記憶部１３を有している。なお、図１には、本実施の形態の説明に用いない構成要素については省略している。
【００２８】
ユーザインタフェース部１１は、マウス２５又はキーボード２６を用いて入力された情報を受け付け、また、ディスプレイ２７に各種画面を介して情報を出力するユーザインタフェース手段である。また、本実施の形態では、文書のサムネイルの表示形態として、厚み表示モードにより実現される第１の表示形態と、厚み非表示モードにより実現される第２の表示形態と、を提供するが、ユーザインタフェース部１１は、いずれかの表示形態で表示させるかをユーザに選択させる選択手段として機能する。表示制御部１２は、文書管理ソフトウェアの一機能を実現し、文書記憶部１３に格納されている文書やネットワーク経由で受信された文書のサムネイルをユーザインタフェース部１１に表示させるよう表示の制御を行う。
【００２９】
文書記憶部１３には、表示対象となる文書ファイル及び当該文書の属性情報等の文書情報が格納される。ここで、本実施の形態でいう「文書（ファイル）」というのは、文字列のみで記述されたファイルという狭義に解釈すべきでなく、文書の量がページ等の単位でカウント可能な形式にて生成されるファイルであり、文字列のみならず描画された図や写真等の画像も含まれるものであると広義に解釈すべきである。
【００３０】
情報処理装置１０における各構成要素１１，１２は、情報処理装置１０を形成するコンピュータと、コンピュータに搭載されたＣＰＵ２１で動作するプログラムとの協調動作により実現される。また、文書記憶部１３は、情報処理装置１０に搭載されたＨＤＤ２４にて実現される。あるいは、ＲＡＭ２３又は外部にある記憶手段をネットワーク経由で利用してもよい。
【００３１】
また、本実施の形態で用いるプログラムは、通信手段により提供することはもちろん、ＣＤ−ＲＯＭやＵＳＢメモリ等のコンピュータ読み取り可能な記録媒体に格納して提供することも可能である。通信手段や記録媒体から提供されたプログラムはコンピュータにインストールされ、コンピュータのＣＰＵがプログラムを順次実行することで各種処理が実現される。
【００３２】
本実施の形態では、サムネイルを表示するモードとして、縮小画像に文書の厚み画像を付加して表示する厚み表示モードと、文書の厚み画像を付加しないで表示する厚み非表示モードと、を提供している。図３は、ディスプレイ２７に表示される文書の表示例を示す図であり、厚み非表示モードでサムネイルを表示したときの表示例を示す図である。また、図４は、図３と同じ文書をディスプレイ２７に表示したときの表示例であるが、厚み表示モードでサムネイルを表示したときの表示例を示す図である。図３と図４を比較すれば明らかなように、厚み表示モードでサムネイルを表示すると、文書のページ数に応じて文書の厚みを表す画像が表示されることがわかる。
【００３３】
文書のサムネイルは、文書の縮小画像によって生成されるが、厳密には、文書の縮小画像と、必要により生成され、縮小画像に付加される文書の付随画像と、を含んでいる。本実施の形態では、付随画像３１，３２を設けている。付随画像３１は、図４に示すように文書の厚みを表す画像であり、縮小画像の周囲に付加される。文書１，２，３を比較すれば明らかなように文書の厚みがあるほど、厚みの幅が大きくなり、文書の量を視認しやすくしている。なお、１ページで構成されている文書に付随画像３１は付加されない。また、付随画像３２は、図３に示すように複数ページで構成されている文書において、表示対象とするページを選択可能とするための表示部品の画像であり、複数のページを綴じるクリップ画像３２ａ、次ページ又は前ページに表示する縮小画像を切り替えるボタン３２ｂ及び文書のページ数と現在表示中のページを示すページ情報３２ｃを含む。なお、１ページで構成されている文書に付随画像３２は付加されない。
【００３４】
厚みを表す付随画像（以下、「厚み画像」という）３１は、上記の通り文書の厚みを表している。文書の厚みは、通常、文書を構成するページ数によって決まる。ただ、文書の量はページ数だけでなく、例えばＡ４サイズの文書にＡ３サイズの用紙を折って綴じ込むような場合、ページ数は増えないものの厚みは増える。このようにサイズの異なる用紙を折って文書に綴じ込む場合、その文書の厚み画像３１の厚み幅を大きく表示させるようにしてもよい。また、前述した文書の量を示すこと以外に、厚み画像３１で、例えば文字数や画像数等その他の情報を表してもよいし、これらの情報を総合的に勘案して厚み画像３１における厚みの幅を決定してもよい。
【００３５】
バインダーに対しても文書のサムネイルと同様に、表示させるページを切り替えるための付随画像３２が付加されている。ただ、文書を綴じるクリップの画像は含まれていないが、その代わりに複数の文書を綴じていることを視覚的に示すために、付随画像として帯３３が付加される。
【００３６】
前述したように、一般的には文書の縮小画像をサムネイルと称しているかもしれないが、本実施の形態では、文書の縮小画像に付随画像を付加して形成される表示画像を「サムネイル」と称している。なお、本実施の形態では、文書とバインダーとで特に異なる取り扱いをしないので、文書とバインダーの双方に該当する内容は、特に断らない限り、単に「文書」と記載することにする。
【００３７】
また、図３には、表示されている文書の中から、ユーザによりいずれかの文書のサムネイルがクリックされると表示される選択枠３４が示されている。選択枠３４は、クリック選択されたサムネイルを囲むように表示される。図３では、バインダーＡがユーザによって選択されたことがわかる。
【００３８】
次に、本実施の形態における表示制御部１２が行う選択枠３４の表示制御処理について図５に示すフローチャートを用いて説明する。
【００３９】
前述したように、本実施の形態では、サムネイルを表示するためのモードとして厚み表示モードと厚み非表示モードとを提供している。文書をディスプレイ２７に表示させる際、ユーザインタフェース部１１は、所定の選択画面をディスプレイ２７に表示するなどして、厚み表示モード又は厚み非表示モードのいずれのモードで文書のサムネイルを表示させるかをユーザに選択させる。なお、いずれのモードで表示させるかという初期設定を予めしておくことで、表示の際にモードをユーザにその都度選択させることを省略することは可能である。
【００４０】
文書がディスプレイ２７に表示されている状態で、表示制御部１２は、ユーザがいずれかの文書がクリック選択されることを待機している（ステップ１１１でＮ）。そして、ユーザによりいずれかの文書がクリック選択されると（ステップ１１１でＹ）、現在の表示モードが厚み表示モードもしくが厚み非表示モードのいずれかに設定されているかを確認する。そして、厚み非表示モードに設定されている場合（ステップ１１２でＮ）、つまり、図３に示す表示例のように厚み画像が付加されることなくサムネイルが表示されている場合、表示制御部１２は、従前と同様に通常サイズの選択枠３４でサムネイルを囲むよう表示制御する（ステップ１１７）。
【００４１】
一方、厚み表示モードに設定されている場合（ステップ１１２でＹ）、つまり、図４に示す表示例のように厚み画像３１を含むサムネイルが表示されている場合、表示制御部１２は、選択された文書に付加されている厚み画像３１の厚みの幅を求め、縮小画像及び厚み画像３１を含むサムネイルの大きさを算出する（ステップ１１３）。そして、表示制御部１２は、求めた大きさのサムネイル全体を囲む大きさの選択枠３４を形成する（ステップ１１４）。
【００４２】
なお、ここでは、形成した選択枠３４の大きさは基準内であるものとして説明を続けると（ステップ１１５でＹ）、表示制御部１２は、クリック選択されたサムネイルを選択枠３４で囲むよう表示制御する（ステップ１１６）。
【００４３】
以下、本実施の形態において特徴的な選択枠３４の形成について図６Ａ及び図６Ｂを用いてより詳細に説明する。
【００４４】
図６Ａ，図６Ｂには、厚み表示モードに従って表示されたバインダーＡ，Ｂ，Ｃが示されている表示例が示されている。ここで、図６Ａに示すように、厚み画像が付加されているバインダーＡ，Ｂ，Ｃを、従前と同様の通常サイズ、すなわち厚み画像が付加されていないバインダーＡ，Ｂ，Ｃを囲むための選択枠３４で囲むように処理したとする。そうすると、図６Ａに示すように、選択枠３４は、厚み画像と重なって表示されることになる。つまり、選択枠３４が枠として機能していないことになる。
【００４５】
これに対し、本実施の形態では、厚み表示モードに従ってバインダーが表示されている場合、厚み画像が表すバインダーの厚みの幅を計算することで文書の縮小画像に厚み画像を付加した状態のサムネイルの大きさを求め、このサムネイルを囲む大きさで選択枠を形成するようにしている。これにより、図６Ｂに例示するように、各バインダーＡ，Ｂ，Ｃは、それぞれ厚み画像を含むサムネイルと重なることなく選択枠３４ａ，３４ｂ，３４ｃによって囲まれることになる。このように、本実施の形態では、同じ大きさのバインダーＡ，Ｂ，Ｃに対しても、異なる大きさの選択枠で囲むことができるように表示制御する。
【００４６】
本実施の形態における表示制御部１２は、厚み画像３１に応じて、サムネイルが選択されたことを示す選択画像を異なる形態にて表示させるように制御することを特徴としている。このため、前述したように厚み表示モードと厚み非表示モードとで、異なる形態の選択画像を表示させるようにした。なお、厚み非表示モード時に表示される選択枠３４と、厚み表示モード時に表示される選択枠３４ａ〜３４ｃとは、同じ矩形形状ではあるものの辺の長さが異なることから異なる形態の選択画像に相当する。更に、厚み表示モードにおいては、厚み画像の厚み幅に応じて選択枠の大きさを変化させるようにした。例えば、厚み画像の厚み幅に比例させて選択枠の大きさを変化させるようにしてもよい。このようにして、選択されたサムネイルに重なることなく囲むことができる選択枠３４ａ〜３４ｃを形成することができる。
【００４７】
本実施の形態では、厚み表示モードの場合でも厚み非表示モードの場合でも、サムネイルが選択されたことを示す選択画像として、同じ矩形形状の選択枠を用いるようにした。ただ、類似した形態、例えば本実施の形態のように同じ矩形形状の選択画像を採用すると、ユーザは、表示モードの違いに気づきにくい。そこで、例えば、厚み非表示モードの場合は従前と同様に選択枠でサムネイルを囲むようにし、厚み表示モードの場合はサムネイルにハッチングを付加するなど、厚み表示モードと厚み非表示モードとで全く異なる形態の選択画像を用いるようにしてもよい。なお、ハッチングは、選択画像の一形態であり、その他の形態にて表示するようにしてもよい。
【００４８】
ところで、本実施の形態では、文書の表示画像（サムネイル）の第１の表示形態は、文書の縮小画像の周囲に付随画像を付加して形成されたサムネイルを表示する形態であり、縮小画像に付加する付随画像として厚み画像３１を例にして説明した。ただ、これは一例である。文書の縮小画像の周囲に付加される付随画像として、例えば付箋等の画像でもよい。
【００４９】
図７Ａ，図７Ｂには、縮小画像に厚み画像に加えて付箋３５が付加されている表示例が示されている。図７Ｂでは、本実施の形態の特徴的な選択枠表示制御処理を適用して、付随画像である付箋３５を含めてサムネイルを囲むように選択枠３４ｄを形成したため、選択されたサムネイルを選択枠で囲むという目的から逸脱しているようにも考えられる。
【００５０】
そこで、本実施の形態においては、図５に示すフローチャートにおいて、ステップ１１４において形成した選択枠が基準に合致しない場合（ステップ１１５でＮ）、形成した選択枠ではなく、通常サイズの選択枠３４を用いるようにする（ステップ１１７）。ここで用いる「基準」というのは、縮小画像の周囲から延出して付随画像が表示される所定の範囲を示す閾値である。すなわち、本実施の形態では、付随画像が文書の縮小画像の周囲から所定の範囲を超えた位置まで延出して表示される場合は、少なくとも縮小画像を囲むように選択枠を表示させる。本実施の形態では、少なくとも縮小画像を囲むように選択枠を表示させるために、従前と同様の通常サイズの選択枠３４を採用するようにした。ただ、必ずしも通常サイズの選択枠３４を用いなくてもよい。
【符号の説明】
【００５１】
１０  情報処理装置、１１  ユーザインタフェース（ＵＩ）部、１２  表示制御部、１３  文書記憶部、２１  ＣＰＵ、２２  ＲＯＭ、２３  ＲＡＭ、２４  ハードディスクドライブ（ＨＤＤ）、２５  マウス、２６  キーボード、２７  ディスプレイ、２８  入出力コントローラ、２９  ネットワークインタフェース（ＩＦ）、３０  内部バス、３１，３２  付随画像、３２ａ  クリップ画像、３２ｂ  ボタン、３２ｃ  ページ情報、３４，３４ａ，３４ｂ，３４ｃ，３４ｄ  選択枠、３５  付箋。
【図１】
2019079185.tif 000003
【図２】
2019079185.tif 000004
【図３】
2019079185.tif 000005
【図４】
2019079185.tif 000006
【図５】
2019079185.tif 000007
【図６Ａ】
2019079185.tif 000008
【図６Ｂ】
2019079185.tif 000009
【図７Ａ】
2019079185.tif 000010
【図７Ｂ】
2019079185.tif 000011